(57)【要約】【課題】この発明の主たる目的は、入浴時に、浴槽に凭れて首をのばして頭を枕に載せて、リラックスした状態において入浴することができる、浴槽用枕具を提供することである。【解決手段】この浴槽用枕具は、頭を支える枕体１２と、前記枕の外表面に、外方に向けてのびるように固定された、挿入片１４を備え、前記挿入片１４は、浴槽１００と浴室の壁面との間隙に挿入されるように形成された板状体であり、その上部に固定された枕体１２を浴槽の外周縁近傍で支持するように浴槽の外周に固定されるように形成され、前記枕体１２は、浴槽の周縁の上部に載置されて、浴槽に入浴した人の後頭部を支える幅と長さと高さを有する柔軟体で形成されている。【選択図】図１
2008178671.tif 000002
【特許請求の範囲】
【請求項１】
頭を支える枕体と、
前記枕の外表面に、外方に向けてのびるように固定された、挿入片を備え、
前記挿入片は、浴槽と浴室の壁面との間隙に挿入されるように形成された板状体であり、その上部に固定された枕体を浴槽の外周縁近傍で支持するように浴槽の外周に固定されるように形成され、
前記枕体は、浴槽の周縁の上部に載置されて、浴槽に入浴した人の後頭部を支える幅と長さと高さを有する柔軟体で形成された、浴槽用枕具。
【請求項２】
前記枕体は、合成樹脂製円板状体で形成され、
前記挿入片は、合成樹脂製薄板で形成され、
前記挿入片は、枕の外表面に溶着された、
請求項１に記載の浴槽用枕具。
【請求項３】
前記枕体は、浴槽の背凭れができる側壁の上縁部の幅よりわずかに長い幅を備えた、
請求項１または２に記載の浴槽用枕具。
【発明の詳細な説明】
【技術分野】
【０００１】
この発明は、浴槽用枕具に関し、特にたとえば、ユニットバスの浴槽と浴室との間隙に固定して、浴槽に入浴した人が、枕として利用できる浴槽用枕具に関する。
【背景技術】
【０００２】
従来の風呂用枕として、頭を載せるための枕に、風呂に取り付けるための支持部を設けたものが提案されている。
【０００３】
【特許文献１】特開平０９−１４０６０９号公報
【発明の開示】
【発明が解決しようとする課題】
【０００４】
従来の特開平０９−１４０６０９号公報に開示された風呂用枕は、浴槽の側壁の内側に枕が位置するように構成されているので、浴槽に入浴した人が側壁の内側において背凭れをして枕に頭を載せようとすると、側壁の内面より枕がより内側に出っ張って、背凭れができない。また、無理に側壁の内側に背凭れすると、枕より前に首を傾ける必要があり、首の前を圧迫して、リラックスできない。
【０００５】
それゆえに、この発明の主たる目的は、入浴時に、浴槽に凭れて首をのばして頭を枕に載せて、リラックスした状態において入浴することができる、浴槽用枕具を提供することである。
【課題を解決するための手段】
【０００６】
この発明の請求項１にかかる浴槽用枕具は、頭を支える枕体と、前記枕の外表面に、外方に向けてのびるように固定された、挿入片を備え、前記挿入片は、浴槽と浴室の壁面との間隙に挿入されるように形成された板状体であり、その上部に固定された枕体を浴槽の外周縁近傍で支持するように浴槽の外周に固定されるように形成され、前記枕体は、浴槽の周縁の上部に載置されて、浴槽に入浴した人の後頭部を支える幅と長さと高さを有する柔軟体で形成された、浴槽用枕具である。
【０００７】
この発明の請求項２にかかる浴槽用枕具は、前記枕体は、合成樹脂製円板状体で形成され、前記挿入片は、合成樹脂製薄板で形成され、前記挿入片は、枕の外表面に溶着された、請求項１に記載の浴槽用枕具である。
【０００８】
この発明の請求項３にかかる浴槽用枕具前記枕体は、浴槽の背凭れができる側壁の上縁部の幅よりわずかに長い幅を備えた、請求項１または２に記載の浴槽用枕具である。
【発明の効果】
【０００９】
この発明によれば、頭を支える枕体と、前記枕の外表面に、外方に向けてのびるように固定された、挿入片を備え、前記挿入片は、浴槽と浴室の壁面との間隙に挿入されるように形成された板状体であり、その上部に固定された枕体を浴槽の外周縁近傍で支持するように浴槽の外周に固定されるように形成され、前記枕体は、浴槽の周縁の上部に載置されて、浴槽に入浴した人の後頭部を支える幅と長さと高さを有する柔軟体で形成されているので、入浴時に、浴槽に凭れて首をのばして頭を枕に載せて、リラックスした状態において入浴することができる。
【００１０】
請求項２の発明によれば、前記枕体は、合成樹脂製円板状体で形成され、前記挿入片は、合成樹脂製薄板で形成され、前記挿入片は、枕の外表面に溶着された、請求項１に記載の浴槽用枕具であるので、挿入片は、浴槽と浴室の壁面との間隙に挿入させて、その上部に固定された枕体を浴槽の外周縁近傍で支持するように、浴槽の外周に固定して、入浴時に、浴槽に凭れて首をのばして頭を枕に載せて、リラックスした状態において入浴することができる。
【００１１】
請求項３の発明によれば、前記枕体は、浴槽の背凭れができる側壁の上縁部の幅よりわずかに長い幅を備えているので、側壁の通路部に載せた枕体に首をのばして頭を載せてリラックスできる、という効果がある。
【００１２】
この発明の上述の目的，その他の目的，特徴および利点は、図面を参照して行う以下の発明を実施するための最良の形態の説明から一層明らかとなろう。
【発明を実施するための最良の形態】
【００１３】
図１は、この発明の一実施の形態である、ユニットバス用枕具の斜視図であり、図２は、図１図示ユニットバス用枕具の横断面図である。
このユニットバス用枕具１０は、入浴した人の頭を支える枕体１２と、枕体１２の外表面に外方に向けてのびるように固定された、挿入片１４とを備える。挿入片１４は、枕体１２の背面の上部から延設されている。
【００１４】
枕体１２は、浴槽１００の周縁の上部に載置されて、浴槽１００に入浴した人の後頭部をささえる幅と長さと高さを有する柔軟体で形成され、合成樹脂製円柱状体で構成されている。枕体１２は、その柔軟性ゆえに、人の後頭部に沿って変形して、安定的に人の後頭部を保持する。
【００１５】
枕体１２は、浴槽１００の背凭れができる側壁１０２の上縁部１０４の幅よりわずかに長い幅を備え、浴槽１００に入浴した人が首を伸ばし側壁１０２に背凭れした状態で、側壁１０２の上縁部１０４に載置された枕体１２の内側に後頭部を持たせかけることができるように構成されている。
【００１６】
挿入片１４は、浴槽１００と浴室１１０の壁面１１２との間隙１１４に挿入されるように形成された板状体であり、その上部に固定された枕体１２を浴槽１００の外周縁１０６近傍で支持するように、浴槽の外周に固定できるように形成されている。
【００１７】
枕体１２は、合成樹脂製円筒状のカバー体すなわち枕本体内に、カポック、ウレタン、発泡ビーズ、羽毛などのクッション体が充填されて形成され、全体はカバー体すなわち枕本体で防水性を有するように構成されている。
枕体１２は、横断面略楕円形で、浴槽１００の側壁１０２の湯船側から外周縁近傍に亘る幅を備えている。
また、浴槽１００の側壁１０２側に当たる面には、側壁１０２の形状に沿った凹み２０が形成されている。
【００１８】
挿入片１４は、平面方形の合成樹脂製薄板で形成され、枕体１２のカバーの外表面に溶着されている。
挿入片１４は、枕体１２の円形状外周面に対して接線方向に固定されるか円形状の直径方向に固定されている。
【００１９】
また、挿入片１４の外表面に、挿入片１４を浴槽１００と浴室１１０との間隙に挿入する方向に向けてのびる凸条を形成してもよく、該凸条の作用により円滑に浴槽１００と浴室１１０との間隙に、挿入片１４を挿入することができるように形成してよい。
また、壁面１２の浴槽１００の側壁１０２側に当たる面に、図５に示すように凹みを形成しないでよい。
【００２０】
図６は、この発明の別の実施の形態である、ユニットバス用枕具の斜視図であり、図７は、図６図示ユニットバス用枕具の横断面図である。
このユニットバス用枕具２１０は、入浴した人の頭を支える枕体２１２と、枕体２１２の外表面に外方に向けてのびるように固定された、挿入片２１４とを備える。挿入片２１４は、枕体２１２の背面の上部から延設されている。
【００２１】
枕体２１２は、浴槽１００の周縁の上部に載置されて、浴槽１００に入浴した人の後頭部をささえる幅と長さと高さを有する柔軟体で形成され、合成樹脂製円柱状体で構成されている。枕体２１２は、その柔軟性ゆえに、人の後頭部に沿って変形して、安定的に人の後頭部を保持する。
【００２２】
枕体２１２は、軟質合成樹脂製中空円筒状の枕構成材２２０を複数本併列され、枕構成材２２０をその長さ方向に隣接する外表面にて溶着された波板状体２２２が形成され、且つ該波板状体２２２が無端環状にまるめられてなる。
【００２３】
枕構成材２２２は、空気が密封され、弾力性を備えており、頭を置いたとき等に、頭の後頭部等の形状に沿って変形するように構成されている。
また、波板状体２２２は、人間の頭部の左右の間の幅より若干長い間隔をおいて、左右に分かれた２つの折れ曲がり部２２４が形成されている。
波板状体２２２は、内側、すなわち、頭が載せられる側に向けて、折れ曲がり部２２４より外側の翼部２２６ａ、２２６ｂが突き出され、翼部２２６ａ及び翼部２２６ｂが頭の側頭部を覆うように構成されている。
【００２４】
挿入片２１４は、浴槽１００と浴室１１０の壁面１１２との間隙１１４に挿入されるように形成された板状体であり、その上部に固定された枕体２１２を浴槽１００の外周縁１０６近傍で支持するように、浴槽の外周に固定できるように形成されている。
挿入片２１４は、平面方形の合成樹脂製薄板で形成され、枕体２１２を構成する枕構成材２２０の外表面に溶着されている。
挿入片２１４は、枕体２１２の円形状外周面に対して接線方向に固定されるか円形状の直径方向に固定される。
【００２５】
ユニットバス用枕具１０及びユニットバス２１０は、挿入片１４及び挿入片２１４を浴槽１００と浴室１１０の壁面１１２との間隔１１４に挿入して用いなくてもよく、浴室１１０の壁面１１２の内側に枕体１２及び枕体２１２を載置して後頭部を載せて用いてもよい。
【００２６】
この発明は、前記実施の形態のユニットバス用枕具に限らず、この発明の思想に基づき、種々変更することができる。
枕体１２は、図９において示すように、軟質合成樹脂製中空円筒状の枕本体１２Ａ内に、シリコーンを主原料とする柔かいゲル状素材を封入したものでもよい。
枕本体１２Ａは、その中に封入するゲル状素材１２Ｂが流出しないようにするために、中空円筒状体１２ａの左右端縁に左右開口部を密閉する端片１２ｂ，１２ｃを溶着され、枕本体１２Ａ全体を密封構造にされている。
ゲル状素材１２Ｂは、熱伝導率が高く冷却効果があり、安定した柔かさを保持している。そのために、枕体１２は頭部に密着し易く、浴室においても冷却感をもたらすので、ユニットバス用枕として適している。
また、ゲル状素材１２Ｂは、図９に示すように枕本体１２Ａの全体に入れてもよく、又、図１０に示すように枕本体１２Ａの後頭部に密着する領域に部分的に入れてもよい。例えば、図１０に示すように複数条の筋状に形成するなどである。
【図面の簡単な説明】
【００２７】
【図１】この発明の一実施の形態である、ユニットバス用枕具の斜視図である。
【図２】図１図示ユニットバス用枕具の横断面図である。
【図３】図１図示ユニットバス用枕具の使用方法を示す一部を断面とした斜視図解図である。
【図４】図１図示ユニットバス用枕具の使用方法を示す一部を断面とした斜視図解図である。
【図５】図１図示ユニットバス用枕具の変形例を示す斜視図である。
【図６】この発明の別の実施の形態である、ユニットバス用枕具の斜視図である。
【図７】図６図示ユニットバス用枕具の横断面図である。
【図８】図６図示ユニットバス用枕具の使用方法を示す一部を断面とした斜視図解図である。
【図９】図１図示実施の形態の変形例たるユニットバス用枕具の斜視図解図である。
【図１０】図１図示実施の形態の変形例たるユニットバス用枕具の斜視図解図である。
【符号の説明】
【００２８】
１０，２１０  ユニットバス用枕具
１２，２１２  枕体
１２Ａ  枕本体
１２Ｂ  ゲル状素材
１２ａ  中空円筒状体
１２ｂ  端片
１２ｃ  端片
１４，２１４  挿入片
１００  浴槽
１０２  側壁
１０４  上縁部
１０６  外周縁
２２０  枕構成材
２２２  波板状体
２２４  折れ曲がり部
２２６ａ，２２６ｂ  翼部
【図１】
2008178671.tif 000003
【図２】
2008178671.tif 000004
【図３】
2008178671.tif 000005
【図４】
2008178671.tif 000006
【図５】
2008178671.tif 000007
【図６】
2008178671.tif 000008
【図７】
2008178671.tif 000009
【図８】
2008178671.tif 000010
【図９】
2008178671.tif 000011
【図１０】
2008178671.tif 000012